(57)【要約】【課題】  画像形成装置用ユニットを装着させる保持フレームを、簡単にコンパクト化でき、またコンパクト化した状態で変形するのを適切に防止できるようにする。【解決手段】  第１フレーム31と、第１フレームの一端側に取り付けられる第２フレーム32と、第１フレームの他端側に取り付けられる第３フレーム33とを有する保持フレーム30において、第１フレームから分離させた第３フレームの少なくとも一部を、第２フレームに近接するように、第１フレームに設けられた第１位置決め部材313と第２フレームに設けられた第２位置決め部材324とに位置決め保持させる一方、第３フレームを第１フレームの他端側に取り付けた状態で、画像形成装置用ユニット40を、前記の第１位置決め部材と第２位置決め部材とに位置決め保持させて装着させる。【選択図】  図５
2015206812.tif 000002
【特許請求の範囲】
【請求項１】
画像形成装置用ユニットを保持フレームに装着させて、画像形成装置内にセットするようにした画像形成装置において、第１フレームと、第１フレームの一端側に取り付けられる第２フレームと、第２フレームと所要間隔を介した第１フレームの他端側に取り付けられる第３フレームとを有する保持フレームを用い、前記の第１フレームから分離させた前記の第３フレームの少なくとも一部を、第１フレームの一端側に取り付けられた前記の第２フレームに近接するようにして、第１フレームに設けられた第１位置決め部材と、第２フレームに設けられた第２位置決め部材とに位置決め保持させる一方、前記の第３フレームを第２フレームと所要間隔を介した第１フレームの他端側に取り付けた状態で、画像形成装置用ユニットを、第１フレームに設けられた前記の第１位置決め部材と第２フレームに設けられた第２位置決め部材とに位置決め保持させて装着させることを特徴とする画像形成装置。
【請求項２】
請求項１に記載の画像形成装置において、前記の第３フレーム及び画像形成装置用ユニットに、それぞれ第１フレームに設けられた前記の第１位置決め部材に係合する第１係合部と、第２フレームに設けられた前記の第２位置決め部材に係合する第２係合部とを設けたことを特徴とする画像形成装置。
【請求項３】
請求項１又は請求項２に記載の画像形成装置において、第１フレームの一端側に取り付けられた第２フレームに近接するようにして、第３フレームの少なくとも一部を、第１フレームに設けられた第１位置決め部材と、第２フレームに設けられた第２位置決め部材とに位置決め保持させた状態で、前記の保持フレームを移動又は保管させることを特徴とする画像形成装置。
【請求項４】
請求項１〜請求項３の何れか１項に記載の画像形成装置において、第１フレームの一端側に取り付けられた第２フレームと、第２フレームと所要間隔を介した第１フレームの他端側に取り付けられた第３フレームとが、それぞれレール部材を有し、第２フレームにおけるレール部材と第３フレームにおけるレール部材とが所要間隔を介して対向するように設け、前記の画像形成装置用ユニットに給紙ユニットを用い、この給紙ユニットを第１フレームに設けられた第１位置決め部材と第２フレームに設けられた第２位置決め部材とに位置決め保持させて装着させると共に、前記の第２フレームにおけるレール部材と第３フレームにおけるレール部材との間に用紙を収容させる給紙カセットを装着させることを特徴とする画像形成装置。
【発明の詳細な説明】
【技術分野】
【０００１】
本発明は、複写機、プリンター、ファクシミリ及びこれらの複合機等の画像形成装置に関するものである。特に、画像形成装置用ユニットを保持フレームに装着させて、画像形成装置内にセットするようにした画像形成装置において、移動時や保管時等に保持フレームを簡単にコンパクト化できると共に、コンパクト化された保持フレームが変形するのを適切に防止することができ、また画像形成装置用ユニットを保持フレームに装着させるにあたり、コンパクト化された保持フレームを簡単に組み立てて、画像形成装置用ユニットを簡単に装着できるようにした点に特徴を有するものである。
【背景技術】
【０００２】
近年、複写機，プリンター，ファクシミリ及びこれらの複合機等の画像形成装置においては、給紙ローラー等を収容させた給紙ユニットや、感光体等を収容させた作像ユニット等のユニット化させた各種の画像形成装置用ユニットを用い、このような画像形成装置用ユニットを保持フレームに装着させて、画像形成装置内にセットさせるようにしたものが用いられるようになった。
【０００３】
そして、このように画像形成装置用ユニットを保持フレームに装着させて、画像形成装置内にセットさせるにあたり、特許文献１においては、給紙手段を内蔵させる下部ユニットを、梱包時には、少なくとも２つの支持部材や脚部等の複数の部品に分解させるようにする一方、この下部ユニットに給紙手段を内蔵させて画像形成装置内に装着させるにあたっては、前記のように分解した各部品を組み合わせて、下部ユニットを組み立てるようにしている。
【０００４】
しかし、この特許文献１のものにおいては、梱包時に、下部ユニットを数多くの部品に分解させるため、下部ユニットを分解させて梱包する作業が面倒で時間を要すると共に、この下部ユニットに給紙手段を内蔵させて画像形成装置内に装着させるにあたっても、前記のように分解した各部品を組み合わせて、下部ユニットを組み立てる作業が面倒で時間を要するという問題があった。
【０００５】
また、特許文献２においては、プロセスユニットを搭載させて、本体フレームに対してほぼ水平方向に出し入れさせる作像フレームに関して、前フレーム，後フレーム，左フレーム，右フレームによって長方形状の外枠を構成すると共に、４本の補強ステーにより平行クランク機構を構成するようにして、前フレームと後フレームとを連結して補強させるようにしたものが示されている。
【０００６】
しかし、この特許文献２の作像フレームにおいては、前記のように前，後，左，右フレームによって長方形状の外枠を構成すると共に、４本の補強ステーにより平行クランク機構を構成するようにして、前フレームと後フレームとを連結させるため、作像フレームの組み立てが非常に面倒で時間を要すると共に、この作像フレームを分解させてコンパクト化させることも困難であり、移動時や保管時等に作像フレームが嵩張る等の問題があった。
【先行技術文献】
【特許文献】
【０００７】
【特許文献１】特開平１−１７２９７７号公報。
【特許文献２】特開２００９−２０４９３３号公報。
【発明の開示】
【発明が解決しようとする課題】
【０００８】
本発明は、画像形成装置用ユニットを保持フレームに装着させて、画像形成装置内にセットするようにした画像形成装置における前記のような問題を解決することを課題とするものである。
【０００９】
すなわち、本発明は、前記のような画像形成装置において、移動時や保管時等に保持フレームを簡単にコンパクト化できると共に、コンパクト化された保持フレームが変形するのを適切に防止することができ、また画像形成装置用ユニットを保持フレームに装着させるにあたり、コンパクト化された保持フレームを簡単に組み立てて、画像形成装置用ユニットを簡単に装着できるようにすることを課題とするものである。
【課題を解決するための手段】
【００１０】
本発明に係る画像形成装置においては、前記のような課題を解決するため、画像形成装置用ユニットを保持フレームに装着させて、画像形成装置内にセットするようにした画像形成装置において、第１フレームと、第１フレームの一端側に取り付けられる第２フレームと、第２フレームと所要間隔を介した第１フレームの他端側に取り付けられる第３フレームとを有する保持フレームを用い、前記の第１フレームから分離させた前記の第３フレームを、第１フレームの一端側に取り付けられた前記の第２フレームに近接するようにして、第１フレームに設けられた第１位置決め部材と、第２フレームに設けられた第２位置決め部材とに位置決め保持させる一方、前記の第３フレームを第２フレームと所要間隔を介した第１フレームの他端側に取り付けた状態で、画像形成装置用ユニットを、第１フレームに設けられた前記の第１位置決め部材と第２フレームに設けられた第２位置決め部材とに位置決め保持させて装着させるようにした。
【００１１】
ここで、第１フレームから分離させた第３フレームを、第１フレームの一端側に取り付けられた前記の第２フレームに近接するようにして、第１フレームに設けられた第１位置決め部材と、第２フレームに設けられた第２位置決め部材とに位置決め保持させるようにすると、移動時や保管時等に保持フレームを簡単にコンパクト化させることができると共に、第２フレームとこの第２フレームに近接して位置決め保持された第３フレームとが互いに補強し合い、移動時や保管時等に第３フレームや第２フレームが変形するのが防止されるようになる。
【００１２】
そして、前記のように第１フレームにおける第１位置決め部材と第２フレームにおける第２位置決め部材とによって位置決め保持された第３フレームを、第２フレームと所要間隔を介した第１フレームの他端側に取り付けることにより、コンパクト化された保持フレームを簡単に組み立てることができる。
【００１３】
また、このように組み立てた保持フレームに画像形成装置用ユニットを装着させるにあたり、第３フレームを位置決め保持させるのに使用した前記の第１フレームにおける第１位置決め部材と第２フレームにおける第２位置決め部材とに、画像形成装置用ユニットを位置決め保持させることにより、画像形成装置用ユニットを保持フレームに簡単に装着することができる。
【００１４】
ここで、前記のように第３フレームや画像形成装置用ユニットを、第１フレームにおける第１位置決め部材と第２フレームにおける第２位置決め部材とに位置決め保持させるにあたっては、第３フレームや画像形成装置用ユニットに、それぞれ第１フレームに設けられた前記の第１位置決め部材に係合する第１係合部と、第２フレームに設けられた前記の第２位置決め部材に係合する第２係合部とを設けるようにすることができる。
【００１５】
そして、本発明の画像形成装置において、例えば、前記の画像形成装置用ユニットに給紙ユニットを用い、この給紙ユニットを保持フレームに装着させるにあたっては、前記の第１フレームにおける第１位置決め部材と第２フレームにおける第２位置決め部材とに、前記の給紙ユニットを位置決め保持させると共に、レール部材を有する第２フレームと第３フレームとを用い、第１フレームの一端側に取り付けられた第２フレームのレール部材と第１フレームの他端側に取り付けられた第３フレームのレール部材とを所要間隔を介して対向させ、第２フレームにおけるレール部材と第３フレームにおけるレール部材との間に用紙を収容させた給紙カセットを装着させるようにすることができる。
【発明の効果】
【００１６】
本発明の画像形成装置においては、前記のように移動時や保管時等に保持フレームを簡単にコンパクト化できると共に、移動時等に保持フレームが変形するのを適切に防止することができ、また画像形成装置用ユニットを装着させるにあたり、コンパクト化された保持フレームを簡単に組み立てて、画像形成装置用ユニットを簡単に装着できるようになる。
【図面の簡単な説明】
【００１７】
【図１】本発明の実施形態に係る画像形成装置において、画像形成装置内の下部に設けた保持フレームに、給紙ユニットと給紙カセットを保持させる例を示した概略説明図である。
【図２】前記の実施形態に係る画像形成装置において、第１フレームと第２フレームと第３フレームとを組み立てた保持フレームを、第２フレーム側から見た状態を示した概略斜視図である。
【図３】前記の実施形態に係る画像形成装置において、第１フレームと第２フレームと第３フレームとを組み立てた保持フレームを、第３フレーム側から見た状態を示した概略斜視図である。
【図４】前記の実施形態に係る画像形成装置において、第１フレームの取付プレート部から取り外した第３フレームの各レール部材を、第１フレームの一端側に取り付けられた第２フレームにおける各レール部材と近接した位置に保持させると共に、第３フレームの連結部材を取付プレート部に保持させた状態を示した概略平面図である。
【図５】前記の実施形態に係る画像形成装置において、第１フレームの取付プレート部から取り外した第３フレームの各レール部材を、第１フレームの一端側に取り付けられた第２フレームにおける各レール部材と近接した位置に保持させると共に、第３フレームの連結部材を取付プレート部に保持させた状態を示した概略斜視図である。
【図６】前記の実施形態に係る画像形成装置において、第１フレームの取付プレート部から取り外した第３フレームの各レール部材を、第１フレームの一端側に取り付けられた第２フレームにおける各レール部材と近接した位置に保持させる状態を示した部分拡大斜視図である。
【図７】前記の実施形態に係る画像形成装置において、第１フレームと第２フレームと第３フレームとを組み立てた保持フレームに、２つの給紙ユニットを装着させる状態を示した概略斜視図である。
【図８】前記の実施形態に係る画像形成装置において、組み立てた保持フレームに２つの給紙ユニットを装着させた後、２つの給紙カセットを、所要間隔を介して対向するように設けられた第２フレームにおける各レール部材と第３フレームの各レール部材との間に装着させる状態を示した概略斜視図である。
【発明を実施するための最良の形態】
【００１８】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００１９】
この実施形態の画像形成装置１においては、図１に示すように、画像形成装置１内の下部に保持フレーム３０を設け、この保持フレーム３０に、画像形成装置用ユニットとして、給紙ローラー（図示せず）等が収容された給紙ユニット４０を上，下に２つ装着させると共に、用紙（図示せず）を収容させた給紙カセット４１を、前記の給紙ユニット４０に対応させて上，下に２つ装着させ、各給紙ユニット４０により、それぞれ対応する給紙カセット４１から用紙を給紙させるようにしている。
【００２０】
また、この実施形態の画像形成装置１においては、画像形成装置１内に４つのイメージングカートリッジ１０Ａ〜１０Ｄを装着させるようにしている。
【００２１】
そして、前記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する潜像形成装置１３と、感光体１１の表面に形成された静電潜像にトナーを供給してトナー画像を形成する現像装置１４と、感光体１１の表面に形成されたトナー画像を中間転写ベルト２１に転写させた後に残留するトナーを感光体１１の表面から除去するクリーニング装置１５とを設けている。
【００２２】
また、前記の各イメージングカートリッジ１０Ａ〜１０Ｄにおける現像装置１４においては、それぞれ色彩の異なったトナーを収容させ、黒色，黄色，マゼンダ色，シアン色のトナーを収容させている。
【００２３】
そして、この実施形態に係る画像形成装置１を用いて画像形成を行うにあたっては、前記の各イメージングカートリッジ１０Ａ〜１０Ｄにおいて、それぞれ感光体１１の表面を帯電装置１２によって帯電させ、このように帯電された各感光体１１の表面に、それぞれ潜像形成装置１３によって画像情報に応じた露光を行い、各感光体１１の表面にそれぞれ画像情報に応じた静電潜像を形成し、このように各感光体１１の表面に形成された静電潜像に、前記の各現像装置１４からそれぞれの色彩のトナーを供給して、各感光体１１の表面にそれぞれの色彩のトナー画像を形成する。
【００２４】
次いで、このような各イメージングカートリッジ１０Ａ〜１０Ｄにおける各感光体１１の表面に形成された各色彩のトナー画像を、回転ローラー２１ａに架け渡されて回転駆動される中間転写ベルト２１の上に一次転写ローラー２２により順々に転写させて、この中間転写ベルト２１の上に合成されたトナー画像を形成し、このように中間転写ベルト２１の上に形成されたトナー画像を二次転写ローラー２３と対向する位置に導くようにする。また、中間転写ベルト２１に転写されずに各感光体１１の表面に残留するトナーを、それぞれ前記のクリーニング装置１５によって各感光体１１の表面から除去させるようにする。
【００２５】
一方、前記のように画像形成装置１内の下部における保持フレーム３０に保持された何れか一方の給紙カセット４１から用紙を、対応する給紙ユニット４０によって給紙し、このように給紙された用紙をタイミングローラー２４に送るようにする。
【００２６】
そして、このようにタイミングローラー２４に送られた用紙を、このタイミングローラー２４により、適当なタイミングで前記の中間転写ベルト２１と二次転写ローラー２３との間に導き、中間転写ベルト２１上に形成されたトナー画像を用紙に転写させると共に、用紙に転写されずに中間転写ベルト２１上に残ったトナーを、第２クリーニング装置２５によって中間転写ベルト２１から除去させるようにする。
【００２７】
次いで、前記のようにトナー画像が転写された用紙を定着装置２６に導き、この定着装置２６において、前記のトナー画像を用紙に定着させた後、このようにトナー画像が定着された用紙を、排紙ローラー２７によって排紙部２８の上に排紙させるようにする。
【００２８】
次に、前記の保持フレーム３０について具体的に説明すると共に、この保持フレーム３０に、給紙ユニット４０と給紙カセット４１とを装着させる場合について具体的に説明する。
【００２９】
ここで、前記の保持フレーム３０においては、図２〜図８に示すように、第１フレーム３１と、この第１フレーム３１の一端側に取り付けられる第２フレーム３２と、第２フレーム３２と所要間隔を介するようにして第１フレーム３１の他端側に取り付けられる第３フレーム３３とを有している。
【００３０】
そして、前記の第１フレーム３１においては、前記の第２フレーム３２や第３フレーム３３を取り付ける取付プレート部３１１が設けられている。
【００３１】
また、前記の第２フレーム３２においては、２つのレール部材３２１と、この２つのレール部材３２１を連結する連結部材３２２とが設けられている。
【００３２】
また、前記の第３フレーム３３においては、２つのレール部材３３１と、この２つのレール部材３３１を連結する連結部材３３２とが設けられている。
【００３３】
そして、前記の第２フレーム３２を第１フレーム３１の一端側に取り付けるにあたっては、図２及び図３に示すように、前記の２つのレール部材３２１の一端側における取付部３２１ａを、上下方向に所要間隔を介して前記の取付プレート部３１１の一端側に取り付けて、この２つのレール部材３２１を取付プレート部３１１から前方に延出させると共に、取付プレート部３１１から前方に延出された２つのレール部材３２１の端部間に架け渡すようにして、前記の連結部材３２２を２つのレール部材３２１の外面側に取り付け、この連結部材３２２によって２つのレール部材３２１を連結保持させるようにしている。
【００３４】
また、前記の第３フレーム３３を第１フレーム３１の他端側に取り付けるにあたっては、図２及び図３に示すように、前記の２つのレール部材３３１の一端側における各取付部３３１ａを、上下方向に所要間隔を介して前記の第２フレーム３２とは反対側における取付プレート部３１１の他端側に取り付けて、この２つのレール部材３３１を取付プレート部３１１から前方に延出させると共に、取付プレート部３１１から前方に延出された２つのレール部材３３１の端部間に架け渡すようにして、前記の連結部材３３２を２つのレール部材３３１の外面側に取り付け、この連結部材３３２によって２つのレール部材３３１を連結保持させるようにしている。
【００３５】
また、この実施形態においては、前記のように第３フレーム３３における２つのレール部材３３１を取付プレート部３１１の他端側に取り付けるにあたり、各レール部材３３１における前記の取付部３３１ａに係合穴３３３からなる第１係合部３３３を設けると共に、取付プレート部３１１の他端側に上下方向に所要間隔を介して保持用部材３１２を突出させ、各保持用部材３１２を、それぞれレール部材３２１の取付部３３１ａに設けられた係合穴３３３に挿通させて、各レール部材３２１を各保持用部材３１２により保持させた状態で、取付プレート部３１１の他端側に取り付けるようにしている。
【００３６】
そして、この実施形態において、前記の保持フレーム３０に給紙ユニット４０と給紙カセット４１とを装着させる前においては、図４〜図６に示すように、取付プレート部３１１の他端側に取り付けられた前記の第３フレーム３３を取付プレート部３１１から取り外すと共に、この第３フレーム３３における各レール部材３３１と連結部材３３２とを分離させ、第３フレーム３３における各レール部材３３１を、第１フレーム３１の一端側に取り付けられた前記の第２フレーム３２における各レール部材３２１の外面側において、これらの各レール部材３２１と近接させた状態で保持させるようにしている。
【００３７】
ここで、このように第３フレーム３３における各レール部材３３１を、第１フレーム３１の一端側に取り付けられた前記の第２フレーム３２における各レール部材３２１と近接した位置に保持させるにあたっては、前記の取付プレート部３１１において、第２フレーム３２における各レール部材３２１の取付部３２１ａが取り付けられた近傍の位置に、それぞれ第１位置決め部材３１３を突出するように設けると共に、第２フレーム３２における連結部材３２２から取付プレート部３１１に向けて延出された延出プレート３２３に、前記の第１位置決め部材３１３間の間隔に対応するようにして上下方向に所要間隔を介して第２位置決め部材３２４を外方に突出するように設けている。
【００３８】
一方、前記の第３フレーム３３における各レール部材３３１においては、取付プレート部３１１に取り付ける前記の取付部３３１ａに、前記のように係合穴３３３からなる第１係合部３３３を設け、取付プレート部３１１に設けられた前記の第１位置決め部材３１３をこの係合穴３３３に係合させるようにすると共に、前記の取付部３３１ａから離れたレール部材３３１の他端側の部分に外方に突出した突出部３３４を設け、この突出部３３４の下端に、第２フレーム３２の連結部材３２２における延出プレート３２３に設けられた前記の第２位置決め部材３２４に係合する係合凹部３３５からなる第２係合部３３５を設けている。
【００３９】
そして、前記のように第３フレーム３３における各レール部材３３１の取付部３３１ａに設けられた係合穴３３３を、取付プレート部３１１に設けられた第１位置決め部材３１３に係合させると共に、各レール部材３３１の突出部３３４に設けられた係合凹部３３５を、第２フレーム３２の連結部材３２２における延出プレート３２３に設けられた第２位置決め部材３２４に係合させて、第３フレーム３３における各レール部材３３１を、第１フレーム３１に設けられた前記の第１位置決め部材３１３と第２フレーム３２に設けられた第２位置決め部材３２４とに位置決め保持させて装着させるようにする。
【００４０】
また、この実施形態においては、前記の取付プレート部３１１において、第２フレーム３２が取り付けられた位置よりも中央側に所要間隔を介して一対の保持用突起３１４を設け、前記のように第３フレーム３３における各レール部材３２１から分離された連結部材３２２を、この取付プレート部３１１に設けられた一対の保持用突起３１４に保持させるようにしている。
【００４１】
このようにすると、保持フレーム３０の移動時や保管時等において、前記のように第１フレーム３１と第２フレーム３２と第３フレーム３３とを一体化させて保持フレーム３０を簡単にコンパクト化させることができ、移動時や保管時等に保持フレーム３０が嵩張るということがなく、保持フレーム３０の移動や保管等が簡単に行えるようになる。
【００４２】
また、前記のように３フレーム３３の各レール部材３３１を第２フレーム３２の各レール部材３２１に近接させて位置決め保持させるため、第２フレーム３２の各レール部材３２１と第３フレーム３３の各レール部材３３１とが互いに補強し合い、移動時や保管時等に、これらの各レール部材３２１、３３１が変形するのが適切に防止されると共に、仮に変形したとしても、第２フレーム３２の各レール部材３２１と第３フレーム３３の各レール部材３２１とが同様に変形し、前記のように第１フレーム３１における取付プレート部３１１の一端側に第２フレーム３２を取り付けると共に、取付プレート部３１１の他端側に第３フレーム３３を取り付けた場合、これらの各レール部材３２１、３３１間の間隔が変化するのも防止されるようになる。
【００４３】
そして、この保持フレーム３０に給紙ユニット４０と給紙カセット４１とを装着させるにあたっては、前記のように第１フレーム３１における取付プレート部３１１の一端側に、２つのレール部材３２１が連結部材３２２によって連結された第２フレーム３２を取り付けると共に、取付プレート部３１１の他端側に、２つのレール部材３３１が連結部材３３２によって連結された第３フレーム３３を取り付けることにより、保持フレーム３０を簡単に組み立てることができる。
【００４４】
ここで、このように組み立てた保持フレーム３０に給紙ユニット４０を装着させるにあたり、この実施形態においては、図７に示すように、上下に配置された２つの給紙ユニット４０における保持フレーム３０側の端部に連結プレート４２を取り付けて、この連結プレート４２により２つの給紙ユニット４０を連結させると共に、この連結プレート４２に、前記の取付プレート部３１１の一端側に設けられた各第１位置決め部材３１３を挿通させて係合させる第１取付穴４３からなる第１係合部４３を設けている。
【００４５】
また、前記の連結プレート４２と反対側における各給紙ユニット４０の端部に設けられた取付プレート４４に、それぞれ前記の第２フレーム３２の連結部材３２２における延出プレート３２３に設けられた第２位置決め部材３２４を挿通させて係合させる第２取付穴４５からなる第２係合部４５を設けている。
【００４６】
そして、図８に示すように、連結プレート４２に設けられた前記の各第１取付穴４３に、取付プレート部３１１の一端側に設けられた前記の各第１位置決め部材３１３を挿通させると共に、各給紙ユニット４０における前記の取付プレート４４に設けられた前記の各第２取付穴４５に、第２フレーム３２の延出プレート３２３に設けられた前記の各第２位置決め部材３２４を挿通させて、連結プレート４２により連結された２つの給紙ユニット４０を、前記の第２フレーム３２における各レール部材３２１に位置決め保持させて、保持フレーム３０に装着させるようにする。
【００４７】
次いで、このように２つの給紙ユニット４０が装着された保持フレーム３０において、所要間隔を介して対向するように設けられた第２フレーム３２における各レール部材３２１と第３フレーム３３の各レール部材３３１との間に、それぞれ給紙カセット４１を装着させるようにする。
【００４８】
このようにすると、各給紙ユニット４０を、保持フレーム３０における第１フレーム３１と第２フレーム３２とにおいて適切な位置に簡単に装着させることができると共に、前記のように第２フレーム３２における各レール部材３２１と第３フレーム３３の各レール部材３３１の変形が抑制されるため、各給紙カセット４１を、第２フレーム３２における各レール部材３２１と第３フレーム３３の各レール部材３３１との間に適切に装着させることができるようになる。
【符号の説明】
【００４９】
１  画像形成装置
１０Ａ〜１０Ｄ  イメージングカートリッジ、１１  感光体、１２  帯電装置、１３  潜像形成装置、１４  現像装置、１５  クリーニング装置
２１  中間転写ベルト、２１ａ  回転ローラー
２２  一次転写ローラー
２３  二次転写ローラー
２４  タイミングローラー
２５  第２クリーニング装置
２６  定着装置
２７  排紙ローラー
２８  排紙部
３０  保持フレーム
３１  第１フレーム、３１１  取付プレート部、３１２  保持用部材、３１３  第１位置決め部材、３１４  保持用突起
３２  第２フレーム、３２１  レール部材、３２１ａ  取付部、３２２  連結部材、３２３  プレート、３２４  第２位置決め部材
３３  第３フレーム、３３１  レール部材、３３１ａ  取付部、３３２  連結部材、３３３  係合穴（第１係合部）、３３４  突出部、３３５  係合凹部（第２係合部）
４０  給紙ユニット（画像形成装置用ユニット）
４１  給紙カセット
４２  連結プレート
４３  第１取付穴（第１係合部）
４４  取付プレート
４５  第２取付穴（第２係合部）
【図１】
2015206812.tif 000003
【図２】
2015206812.tif 000004
【図３】
2015206812.tif 000005
【図４】
2015206812.tif 000006
【図５】
2015206812.tif 000007
【図６】
2015206812.tif 000008
【図７】
2015206812.tif 000009
【図８】
2015206812.tif 000010